【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】  （ａ）スチレン系ポリマーを主成分とする樹脂の粒子、（ｂ）少なくとも１つの有機基が結合した改質顔料粒子を含有するトナー組成物であって、
前記有機基が正に帯電することができ、且つ前記顔料粒子に結合した少なくとも１つの芳香族基又はＣ１〜Ｃ２０のアルキル基を有する、トナー組成物。
【請求項２】  前記顔料粒子が、カーボンブラック、シアン、マゼンタ、イエロー、ブルー、グリーン、ブラウン、バイオレット、レッド、又はそれらの混合物である、請求項１に記載のトナー組成物。
【請求項３】  前記スチレン系ポリマーに基づく樹脂の粒子が、スチレン及びその誘導体のコポリマー及びホモポリマー、スチレンとアクリル酸エステルとのコポリマー、スチレンとメタクリル酸エステルとのコポリマー、スチレンとアクリル酸エステルとメタクリル酸エステルとの多成分コポリマー、又はスチレンとビニルモノマーとのコポリマーである、請求項１又は２に記載のトナー組成物。
【請求項４】  前記有機基が、窒素又はリンを有する有機基である、請求項１〜３のいずれかに記載のトナー組成物。
【請求項５】  前記有機基が以下の構造を有する、請求項４に記載のトナー組成物：
【化１】
2001511543.tif 000001
（ここで、Ｑは元素の窒素又はリンを表しており、Ｒ１は前記顔料に結合したアルキレン基又はアリーレン基を表しており、またＲ２及びＲ３は同じであっても異なっていてもよく且つそれぞれがアルキル基若しくはアリール基を表しており又は環を形成している。）。
【請求項６】  前記有機基が以下の構造を有する、請求項１に記載のトナー組成物：
【化２】
2001511543.tif 000002
（ここで、Ｑは元素の窒素又はリンを表しており、Ｘは対イオンを表しており、Ｒ１は前記顔料に結合したアルキレン基又はアリーレン基を示しており、またＲ２、Ｒ３及びＲ４は同じであっても異なっていてもよく且つそれぞれがアルキル基若しくはアリール基を表しており又は環を形成している。）。
【請求項７】  前記有機基が、−Ｃ６Ｈ４ＮＨ２、−Ｃ６Ｈ４（ＮＣ５Ｈ５）＋Ｘ−、又はそれら両方（ここで、Ｘ−は対イオン）である、請求項４に記載のトナー組成物。
【請求項８】  前記対イオンが、Ｃｌ−、ＮＯ３−、Ｂｒ−、又はＡｒＳＯ３−である、請求項７に記載のトナー組成物。
【請求項９】  請求項１〜８のいずれかに記載のトナー組成物及びキャリアー粒子を含有している、現像剤組成物。
【請求項１０】  負に帯電した光導電性のイメージング部材に静電気による潜在的な画像を作り、請求項１〜８のいずれかに記載のトナー組成物によってこの画像を現像し、そして現像したこの画像を基材に移すことを含む、描写方法。
【手続補正２】
【補正対象書類名】明細書
【補正対象項目名】００６５
【補正方法】変更
【補正の内容】
【００６５】
本発明の他の態様は、ここで開示された本発明の明細書を考慮しまた本発明を実施することによって当業者に明らかになる。本発明の明細書の記載及び例示は説明のためのだけのものであって、実際の範囲は特許請求の範囲に示されるものである。また、本願の態様としては下記の実施態様を挙げることができる：
（実施態様１） （ａ）スチレン系ポリマーを主成分とする樹脂の粒子、（ｂ）少なくとも１つの有機基が結合した改質顔料粒子を含有するトナー組成物であって、
前記有機基が正に帯電することができ、且つ前記顔料粒子に結合した少なくとも１つの芳香族基又はＣ１〜Ｃ２０のアルキル基を有する、トナー組成物。
（実施態様２） 前記顔料粒子が、カーボンブラック、シアン、マゼンタ、イエロー、ブルー、グリーン、ブラウン、バイオレット、レッド、又はそれらの混合物である、実施態様１に記載のトナー組成物。
（実施態様３） 前記顔料粒子がカーボンブラックである、実施態様１に記載のトナー組成物。
（実施態様４） 改質していないカーボンブラック、シアン、マゼンタ、イエロー、ブルー、グリーン、ブラウン、バイオレット、レッド、又はそれらの混合物を更に含有する、実施態様１に記載のトナー組成物。
（実施態様５） 改質していないカーボンブラックを更に含有する、実施態様１に記載のトナー組成物。
（実施態様６） 前記スチレン系ポリマーに基づく樹脂の粒子が、スチレン化アクリル樹脂粒子である、実施態様１に記載のトナー組成物。
（実施態様７） 前記スチレン系ポリマーに基づく樹脂の粒子が、スチレン及びその誘導体のコポリマー及びホモポリマー、スチレンとアクリル酸エステルとのコポリマー、スチレンとメタクリル酸エステルとのコポリマー、スチレン、アクリル酸エステル、及びメタクリル酸エステルの多成分コポリマー、又はスチレンとビニルモノマーとのコポリマーである、実施態様１に記載のトナー組成物。
（実施態様８） 前記有機基が窒素又はリンを有する有機基である、実施態様１に記載のトナー組成物。
（実施態様９） 前記有機基が以下の構造を有する、実施態様１に記載のトナー組成物：
【化３】
2001511543.tif 000003
（ここで、Ｑは元素の窒素又はリンを表しており、Ｒ１は前記顔料に結合したアルキレン基又はアリーレン基を表しており、またＲ２及びＲ３は同じであっても異なっていてもよく且つそれぞれがアルキル基若しくはアリール基を表しており又は環を形成している。）。
（実施態様１０） 前記有機基が以下の構造を有する、実施態様１に記載のトナー組成物：
【化４】
2001511543.tif 000004
（ここで、Ｑは元素の窒素又はリンを表しており、Ｘは対イオンを表しており、Ｒ１は前記顔料に結合したアルキレン基又はアリーレン基を示しており、またＲ２、Ｒ３及びＲ４は同じであっても異なっていてもよく且つそれぞれがアルキル基若しくはアリール基を表しており又は環を形成している。）。
（実施態様１１） 前記有機基が−Ｃ６Ｈ４ＮＨ２、−Ｃ６Ｈ４（ＮＣ５Ｈ５）＋Ｘ−、又はそれら両方（ここで、Ｘ−は対イオン）である、実施態様１に記載のトナー組成物。
（実施態様１２） 前記改質顔料粒子が、トナー組成物の約１重量％〜約３０重量％の量で存在する、実施態様１に記載のトナー組成物。
（実施態様１３） 前記トナー組成物が電荷調節添加剤を更に含有している、実施態様１に記載のトナー組成物。
（実施態様１４） 実施態様１に記載のトナー組成物及びキャリアー粒子を含有している現像剤組成物。
（実施態様１５） 前記顔料粒子が、カーボンブラック、シアン、マゼンタ、イエロー、ブルー、グリーン、ブラウン、バイオレット、レッド、又はそれらの混合物である、実施態様１４に記載の現像剤組成物。
（実施態様１６） 前記顔料粒子がカーボンブラックである、実施態様１４に記載の現像剤組成物。
（実施態様１７） 改質していないカーボンブラック、シアン、マゼンタ、イエロー、ブルー、グリーン、ブラウン、バイオレット、レッド、又はそれらの混合物を更に含有する、実施態様１４に記載の現像剤組成物。
（実施態様１８） 改質していないカーボンブラックを更に含有する、実施態様１４に記載の現像剤組成物。
（実施態様１９） 前記スチレン系ポリマーに基づく樹脂の粒子が、スチレン化アクリル樹脂粒子である、実施態様１４に記載の現像剤組成物。
（実施態様２０） 前記スチレン系ポリマーに基づく樹脂の粒子が、スチレン及びその誘導体のコポリマー及びホモポリマー、スチレンとアクリル酸エステルとのコポリマー、スチレンとメタクリル酸エステルとのコポリマー、スチレン、アクリル酸エステル、及びメタクリル酸エステルの多成分コポリマー、又はスチレンとビニルモノマーとのコポリマーである、実施態様１４に記載の現像剤組成物。
（実施態様２１） 前記有機基が窒素又はリンを有する有機基である、実施態様１４に記載の現像剤組成物。
（実施態様２２） 前記有機基が以下の構造を有する、実施態様１４に記載の現像剤組成物：
【化５】
2001511543.tif 000005
（ここで、Ｑは元素の窒素又はリンを表しており、Ｒ１は前記顔料に結合したアルキレン基又はアリーレン基を表しており、またＲ２及びＲ３は同じであっても異なっていてもよく且つそれぞれがアルキル基若しくはアリール基を表しており又は環を形成している。）。
（実施態様２３） 前記有機基が以下の構造を有する、実施態様１４に記載の現像剤組成物：
【化６】
2001511543.tif 000006
（ここで、Ｑは元素の窒素又はリンを表しており、Ｘは対イオンを表しており、Ｒ１は前記顔料に結合したアルキレン基又はアリーレン基を表しており、またＲ２、Ｒ３及びＲ４は同じであっても異なっていてもよく且つそれぞれがアルキル基若しくはアリール基を表しており又は環を形成している。）。
（実施態様２４） 前記有機基が−Ｃ６Ｈ４ＮＨ２、−Ｃ６Ｈ４（ＮＣ５Ｈ５）＋Ｘ−、又はそれら両方（ここで、Ｘ−は対イオン）である、実施態様１４に記載の現像剤組成物。
（実施態様２５） 前記改質顔料粒子が、前記トナー組成物の約１重量％〜約３０重量％の量で存在する、実施態様１４に記載の現像剤組成物。
（実施態様２６） 前記トナー組成物が電荷調節添加剤を更に含有している、実施態様１４に記載の現像剤組成物。
（実施態様２７） 前記キャリアー粒子がフェライト、鋼、鉄の粉末、又はそれらの混合物である、実施態様１４に記載の現像剤組成物。
（実施態様２８） 負に帯電した光導電性のイメージング部材に静電気による潜在的な画像を作り、実施態様１に記載のトナー組成物によってこの画像を現像し、そして現像したこの画像を基材に移すことを含む描写方法。
（実施態様２９） 前記基材に移した前記画像を前記基材上に永続的に固定する、実施態様２８に記載の描写方法。
（実施態様３０） 前記顔料粒子が、カーボンブラック、シアン、マゼンタ、イエロー、ブルー、グリーン、ブラウン、バイオレット、レッド、又はそれらの混合物である、実施態様２８に記載の描写方法。
（実施態様３１） 前記顔料粒子がカーボンブラックである、実施態様２８に記載の描写方法。
（実施態様３２） 改質していないカーボンブラック、シアン、マゼンタ、イエロー、ブルー、グリーン、ブラウン、バイオレット、レッド、又はそれらの混合物を更に用いる、実施態様２８に記載の描写方法。
（実施態様３３） 改質していないカーボンブラックを更に用いる、実施態様２８に記載の描写方法。
（実施態様３４） 前記スチレン系ポリマーに基づく樹脂の粒子が、スチレン化アクリル樹脂粒子である、実施態様２８に記載の描写方法。
（実施態様３５） 前記スチレン系ポリマーに基づく樹脂の粒子が、スチレン及びその誘導体のコポリマー及びホモポリマー、スチレンとアクリル酸エステルとのコポリマー、スチレンとメタクリル酸エステルとのコポリマー、スチレン、アクリル酸エステル、及びメタクリル酸エステルの多成分コポリマー、又はスチレンとビニルモノマーとのコポリマーである、実施態様２８に記載の描写方法。
（実施態様３６） 前記有機基が窒素又はリンを有する有機基である、実施態様２８に記載の描写方法。
（実施態様３７） 前記有機基が以下の構造を有する、実施態様２８に記載の描写方法：
【化７】
2001511543.tif 000007
（ここで、Ｑは元素の窒素又はリンを表しており、Ｒ１は前記顔料に結合したアルキレン基又はアリーレン基を表しており、またＲ２及びＲ３は同じであっても異なっていてもよく且つそれぞれがアルキル基若しくはアリール基を表しており又は環を形成している。）。
（実施態様３８） 前記有機基が以下の構造を有する、実施態様２８に記載の描写方法：
【化８】
2001511543.tif 000008
（ここで、Ｑは元素の窒素又はリンを表しており、Ｘは対イオンを表しており、Ｒ１は前記顔料に結合したアルキレン基又はアリーレン基を表しており、またＲ２、Ｒ３及びＲ４は同じであっても異なっていてもよく且つそれぞれがアルキル基若しくはアリール基を表しており又は環を形成している。）。
（実施態様３９） 前記有機基が−Ｃ６Ｈ４ＮＨ２、−Ｃ６Ｈ４（ＮＣ５Ｈ５）＋Ｘ−、又はそれら両方（ここで、Ｘ−は対イオン）である、実施態様２８に記載の描写方法。
（実施態様４０） 前記改質顔料粒子が、前記トナー組成物の約１重量％〜約３０重量％の量で存在する、実施態様２８に記載の描写方法。
（実施態様４１） 前記トナー組成物が、電荷調節添加剤を更に含有している、実施態様２８に記載の描写方法。
（実施態様４２） 前記有機基が、−Ｃ５Ｈ４Ｎである、実施態様１に記載のトナー組成物。
（実施態様４３） −Ｃ５Ｈ４Ｎ（ＣＨ３）＋Ｘ−、又は−Ｃ６Ｈ４（ＮＣ５Ｈ５）＋Ｘ−（ここで、Ｘ−は対イオン基）が結合した改質顔料粒子を更に含有している、実施態様４２に記載のトナー組成物。
（実施態様４４） 前記有機基が、−Ｃ５Ｈ４Ｎ（ＣＨ３）＋Ｘ−（ここで、Ｘ−は対イオン）である、実施態様１に記載のトナー組成物。
（実施態様４５） −Ｃ６Ｈ４ＮＨ２基が結合した改質顔料粒子を更に含有している、実施態様４４に記載のトナー組成物。
（実施態様４６） 実施態様４２に記載のトナー組成物及びキャリアー粒子を含有している、現像剤組成物。
（実施態様４７） 実施態様４４に記載のトナー組成物及びキャリアー粒子を含有している、現像剤組成物。
（実施態様４８） 前記有機基がピリジル基を有する、実施態様１に記載のトナー組成物。
（実施態様４９） 実施態様４８に記載のトナー組成物及びキャリアー粒子を含有している、現像剤組成物。
（実施態様５０） 前記対イオンが、Ｃｌ−、ＮＯ３−、Ｂｒ−、又はＡｒＳＯ３−である、実施態様１１に記載のトナー組成物。
（実施態様５１） 前記対イオンが、Ｃｌ−、ＮＯ３−、Ｂｒ−、又はＡｒＳＯ３−である、実施態様２４に記載の現像剤組成物。
（実施態様５２） 前記有機基がピリジル基を有し、且つ第４アンモニウム基を有する有機基が結合した改質顔料粒子を更に含有する、実施態様１に記載のトナー組成物。